【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
燃料を噴射する噴射孔を開閉する弁体（３３）及び通電されることで前記噴射孔を開く方向の力を前記弁体に作用させるコイル（３１）を備える燃料噴射弁（３０）を、第１電圧及び前記第１電圧よりも低い第２電圧を切り替えて前記コイルに印加する駆動回路（４２，４３）により駆動させる、燃料噴射弁の制御装置（４１）であって、
前記駆動回路により前記第１電圧を前記コイルに印加させて、前記コイルに流れる電流である駆動電流をピーク値まで増加させる増加制御部と、
前記増加制御部により前記駆動電流が前記ピーク値まで増加された時に前記駆動回路による前記第１電圧の印加を停止させた後、前記ピーク値に基づいて、前記駆動回路により前記第２電圧を前記コイルに印加させて前記駆動電流を目標電流に保持する第１保持制御と、前記駆動回路により前記第１電圧を前記コイルに印加させて前記駆動電流を前記目標電流に保持する第２保持制御とを切り替えて実行する保持制御部と、
を備える燃料噴射弁の制御装置。
【請求項２】
前記燃料の圧力に基づいて前記ピーク値を設定するピーク値設定部を備え、
前記保持制御部は、前記増加制御部により前記駆動電流が前記ピーク値まで増加された時に前記駆動回路による前記第１電圧の印加を停止させた後、前記ピーク値設定部により設定された前記ピーク値が所定電流よりも小さい場合に、前記第２保持制御に切り替えて実行する、請求項１に記載の燃料噴射弁の制御装置。
【請求項３】
前記第２電圧はバッテリ（４８）から供給される電圧であり、
前記保持制御部は、前記増加制御部により前記駆動電流が前記ピーク値まで増加された時に前記駆動回路による前記第１電圧の印加を停止させた後、前記第２電圧に基づいて、前記第１保持制御と前記第２保持制御とを切り替えて実行する、請求項１に記載の燃料噴射弁の制御装置。
【請求項４】
前記燃料の圧力に基づいて前記ピーク値を設定するピーク値設定部を備え、
前記第２電圧はバッテリから供給される電圧であり、
前記保持制御部は、前記増加制御部により前記駆動電流が前記ピーク値まで増加された時に前記駆動回路による前記第１電圧の印加を停止させた後、前記ピーク値設定部により設定された前記ピーク値が第１所定電流よりも小さい場合、又は、前記ピーク値設定部により設定された前記ピーク値が前記第１所定電流よりも大きく、前記第１所定電流よりも大きい第２所定電流よりも小さく、且つ前記第２電圧が所定電圧よりも低い場合に、前記第２保持制御に切り替えて実行する、請求項１に記載の燃料噴射弁の制御装置。
【請求項５】
前記燃料の圧力に基づいて前記ピーク値を設定するピーク値設定部を備え、
前記保持制御部は、前記増加制御部により前記駆動電流が前記ピーク値まで増加された時に前記駆動回路による前記第１電圧の印加を停止させた後、前記燃料の圧力が所定圧力よりも低い場合に、前記第２保持制御に切り替えて実行する、請求項１に記載の燃料噴射弁の制御装置。
【請求項６】
燃料を噴射する噴射孔を開閉する弁体（３３）及び通電されることで前記噴射孔を開く方向の力を前記弁体に作用させるコイル（３１）を備える燃料噴射弁（３０）を、第１電圧及び前記第１電圧よりも低い第２電圧を切り替えて前記コイルに印加する駆動回路（４２，４３）により駆動させる、燃料噴射弁の制御装置（４１）であって、
前記駆動回路により前記第１電圧を前記コイルに印加させて、前記コイルに流れる電流である駆動電流をピーク値まで増加させる増加制御部と、
前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記駆動回路により前記第２電圧を前記コイルに印加させて前記駆動電流を目標電流に保持する第１保持制御と、前記駆動回路により前記第１電圧を前記コイルに印加させて前記駆動電流を前記目標電流に保持する第２保持制御とを切り替えて実行する保持制御部と、
前記燃料の圧力に基づいて前記ピーク値を設定するピーク値設定部と、
を備え、
前記保持制御部は、前記増加制御部により前記駆動電流が前記ピーク値まで増加された時に前記駆動回路による前記第１電圧の印加を停止させた後、前記燃料の圧力が所定圧力よりも低い場合に、前記第２保持制御に切り替えて実行する、燃料噴射弁の制御装置。
【請求項７】
前記保持制御部は、前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記第２保持制御を開始した後、前記コイルに逆起電力が発生しなくなるまで前記第２保持制御を継続し、前記コイルに逆起電力が発生しなくなってから前記第１保持制御に切り替えて実行する、請求項１〜６のいずれか１項に記載の燃料噴射弁の制御装置。
【請求項８】
燃料を噴射する噴射孔を開閉する弁体（３３）及び通電されることで前記噴射孔を開く方向の力を前記弁体に作用させるコイル（３１）を備える燃料噴射弁（３０）を、第１電圧及び前記第１電圧よりも低い第２電圧を切り替えて前記コイルに印加する駆動回路（４２，４３）により駆動させる、燃料噴射弁の制御装置（４１）であって、
前記駆動回路により前記第１電圧を前記コイルに印加させて、前記コイルに流れる電流である駆動電流をピーク値まで増加させる増加制御部と、
前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記駆動回路により前記第２電圧を前記コイルに印加させて前記駆動電流を目標電流に保持する第１保持制御と、前記駆動回路により前記第１電圧を前記コイルに印加させて前記駆動電流を前記目標電流に保持する第２保持制御とを切り替えて実行する保持制御部と、
を備え、
前記保持制御部は、前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記第２保持制御を開始した後、前記コイルに逆起電力が発生しなくなるまで前記第２保持制御を継続し、前記コイルに逆起電力が発生しなくなってから前記第１保持制御に切り替えて実行する、燃料噴射弁の制御装置。
【請求項９】
前記保持制御部は、前記第１保持制御において前記駆動電流を前記目標電流に保持する際に前記駆動電流の変動幅を所定変動幅に制御し、前記第２保持制御において前記駆動電流を前記目標電流に保持する際に前記駆動電流の変動幅を前記所定変動幅に制御する、請求項１〜８のいずれか１項に記載の燃料噴射弁の制御装置。
【請求項１０】
燃料を噴射する噴射孔を開閉する弁体（３３）及び通電されることで前記噴射孔を開く方向の力を前記弁体に作用させるコイル（３１）を備える燃料噴射弁（３０）を、第１電圧及び前記第１電圧よりも低い第２電圧を切り替えて前記コイルに印加する駆動回路（４２，４３）により駆動させる、燃料噴射弁の制御装置（４１）であって、
前記駆動回路により前記第１電圧を前記コイルに印加させて、前記コイルに流れる電流である駆動電流をピーク値まで増加させる増加制御部と、
前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記駆動回路により前記第２電圧を前記コイルに印加させて前記駆動電流を目標電流に保持する第１保持制御と、前記駆動回路により前記第１電圧を前記コイルに印加させて前記駆動電流を前記目標電流に保持する第２保持制御とを切り替えて実行する保持制御部と、
を備え、
前記保持制御部は、前記第１保持制御において前記駆動電流を前記目標電流に保持する際に前記駆動電流の変動幅を所定変動幅に制御し、前記第２保持制御において前記駆動電流を前記目標電流に保持する際に前記駆動電流の変動幅を前記所定変動幅に制御する、燃料噴射弁の制御装置。
【請求項１１】
前記保持制御部は、前記増加制御部により前記駆動電流が前記ピーク値まで増加された時に前記駆動回路による前記第１電圧の印加を停止させた後、前記ピーク値、前記第２電圧、及び前記燃料の圧力の少なくとも１つに基づいて、前記駆動電流が前記目標電流よりも小さく設定された最小電流よりも大きくなるように、前記第１保持制御と前記第２保持制御とを切り替えて実行する、請求項１〜１０のいずれか１項に記載の燃料噴射弁の制御装置。
【請求項１２】
燃料を噴射する噴射孔を開閉する弁体（３３）及び通電されることで前記噴射孔を開く方向の力を前記弁体に作用させるコイル（３１）を備える燃料噴射弁（３０）を、第１電圧及び前記第１電圧よりも低い第２電圧を切り替えて前記コイルに印加する駆動回路（４２，４３）により駆動させる、燃料噴射弁の制御方法であって、
前記駆動回路により前記第１電圧を前記コイルに印加させて、前記コイルに流れる電流である駆動電流をピーク値まで増加させる増加制御工程と、
前記増加制御工程により前記駆動電流が前記ピーク値まで増加された時に前記駆動回路による前記第１電圧の印加を停止させた後、前記ピーク値に基づいて、前記駆動回路により前記第２電圧を前記コイルに印加させて前記駆動電流を目標電流に保持する第１保持制御と、前記駆動回路により前記第１電圧を前記コイルに印加させて前記駆動電流を前記目標電流に保持する第２保持制御とを切り替えて実行する保持制御工程と、
を実施する燃料噴射弁の制御方法。